(57)【要約】【課題】重要な部分に印が付けられた画像ファイルから試験問題ファイルを生成する、試験問題生成システム及びその方法を提供する。【解決手段】試験問題生成システム１３は、ディスプレイ１１及び操作手段１２を有する電子機器１内に設けられて試験問題を生成するとともに、試験問題生成モジュール及び試験問題記憶モジュールを備える。試験問題生成モジュールは、電子機器１のディスプレイ１１上に表示されるとともに、ラベリング領域検出・ロックユニット及び試験問題編集ユニットを含む。ラベリング領域検出・ロックユニットは、少なくとも１つの画像ファイルを受け取る。画像ファイルは、複数の文字コンテンツを含む。文字コンテンツは、少なくとも１つのラベリング領域を含む。【選択図】図１Ａ
2016038903.tif 000002
【特許請求の範囲】
【請求項１】
ディスプレイ及び操作手段を有する電子機器内に設けられて試験問題を生成するとともに、試験問題生成モジュール及び試験問題記憶モジュールを備えた試験問題生成システムであって、
前記試験問題生成モジュールは、前記電子機器の前記ディスプレイ上に表示されるとともに、ラベリング領域検出・ロックユニット及び試験問題編集ユニットを含み、前記ラベリング領域検出・ロックユニットは、少なくとも１つの画像ファイルを受け取り、前記画像ファイルは、複数の文字コンテンツを含み、前記文字コンテンツは、少なくとも１つのラベリング領域を含み、前記ラベリング領域検出・ロックユニットは、少なくとも１つのラベリング領域を有する画像ファイル上にあり、前記ラベリング領域の位置を自動的に検出するとともに、前記ラベリング領域の位置をロックし、前記電子機器の前記ディスプレイ上に表示し、前記試験問題編集ユニットは、前記ラベリング領域検出・ロックユニットと接続され、編集したい前記ロックされたラベリング領域の位置の何れか１つを選択し、前記ロックされたラベリング領域の位置の前後位置において、所望の文字コンテンツを四角で囲み、前記ラベリング領域の位置上を覆い隠す処理を行い、
前記試験問題記憶モジュールは、前記ラベリング領域検出・ロックユニット及び前記試験問題編集ユニットと接続され、前記ラベリング領域検出・ロックユニットが受け取った前記画像ファイルを記憶し、前記試験問題編集ユニットが覆い隠す処理を行い、前記画像ファイルから新たな試験問題ファイルを生成し、前記試験問題記憶モジュールは、複数組の応用可能な試験問題ファイルを記憶することを特徴とする、
試験問題生成システム。
【請求項２】
前記試験問題生成モジュールは、前記ラベリング領域検出・ロックユニット及び前記試験問題編集ユニットと接続されたラベリング領域選択ユニットを含み、前記ラベリング領域選択ユニットは、前記電子機器の前記ディスプレイ上に表示された前記画像ファイル上で、前記ロックされた複数のラベリング領域の位置を選択し、前記ロックされた複数のラベリング領域の位置を１つのグループに定義し、前記ロックされた複数のラベリング領域の位置を選択し、前記試験問題編集ユニットにより前記ロックされたラベリング領域の位置の前後位置で、所望の文字コンテンツを四角で囲み、前記ラベリング領域の位置上で覆い隠す処理を行うことを特徴とする請求項１に記載の試験問題生成システム。
【請求項３】
前記試験問題生成モジュールは、前記試験問題編集ユニットと接続されるとともに、前記電子機器の前記ディスプレイ上に表示された前記画像ファイル上で、選択された１つ又は複数の前記ラベリング領域の位置を削除するラベリング領域削除ユニットを含むことを特徴とする請求項２に記載の試験問題生成システム。
【請求項４】
前記試験問題生成モジュールは、前記試験問題編集ユニットと接続されるとともに、提示する文字コンテンツを生成する試験問題ファイル提示生成ユニットを含むことを特徴とする請求項１に記載の試験問題生成システム。
【請求項５】
前記電子機器を前記試験問題ファイルへ応用する際、利用者が前記電子機器の前記ディスプレイに触れると、前記ラベリング領域の位置を覆い隠す状態が覆い隠されない状態に戻ることを特徴とする請求項１に記載の試験問題生成システム。
【請求項６】
ディスプレイ及び操作手段を有する電子機器は、１つ又は複数のラベリング領域の画像ファイルを少なくとも１つ受け取り、前記ラベリング領域の位置をロックした後、前記電子機器の前記ディスプレイ上に前記画像ファイルを表示するステップと、
前記ロックされたラベリング領域の位置の前後位置において所望の文字コンテンツを四角で囲むとともに、前記ラベリング領域の位置上で覆い隠す処理を行い、覆い隠された前記画像ファイルを試験問題ファイルとして記憶するステップと、
利用者は、前記記憶された試験問題ファイル全てを、前記ディスプレイ及び前記操作手段を有する前記電子機器上で利用するステップと、を含むことを特徴とする、
試験問題生成方法。
【請求項７】
前記電子機器は、前記画像ファイル上で前記ラベリング領域の位置を自動的に検出し、前記ラベリング領域の位置をロックすることを特徴とする請求項６に記載の試験問題生成方法。
【請求項８】
利用者は、前記表示された画像ファイル上で１つ又は複数のロックされた前記ラベリング領域の位置を選択し、前記選択された複数のロックされたラベリング領域の位置を１グループに定義することを特徴とする請求項６に記載の試験問題生成方法。
【請求項９】
利用者は、前記表示された画像ファイル上から１つ又は複数の選択された前記ラベリング領域の位置を削除することを特徴とする請求項８に記載の試験問題生成方法。
【請求項１０】
前記電子機器を前記試験問題ファイルへ応用する際、利用者が前記電子機器の前記ディスプレイに触れると、前記ラベリング領域の位置を覆い隠す状態が覆い隠されない状態に戻ることを特徴とする請求項６に記載の試験問題生成方法。
【発明の詳細な説明】
【技術分野】
【０００１】
本発明は、試験問題生成システム及びその方法に関し、特に、利用者が重要な部分に印を付けた画像ファイルから試験問題ファイルを生成する、試験問題生成システム及びその方法に関する。
【背景技術】
【０００２】
学習効果を高めるツールには様々な物があり、よく見かける物としては大別して２種類ある。そのうちの１種は、記憶しなければならない重要な内容をカードに直接書き込む方式である。例えば、利用者は学習用カードに科学の公式、法律条文、様々な単語など、学習しなければならない内容を書き込むことができる上、携帯に便利なように複数のカードが１つにまとまっている。
【０００３】
もう一つの方式としては、１つの文章又は多くの文字の中から、利用者が重要だと思う部分に印をつけ、利用者が次回重要な部分を記憶することができるようにする方式である。この方式では利用者自らが指で答えを覆い隠し、自らテストすることができるが、この方式の場合、利用者が不注意から答案を見てしまうと、試験の目的を達成することができない上、利用者は本の重要な部分を指で覆い隠す必要があるため、非常に面倒であった。また、もしツールを使用して答えを覆い隠す方式の場合、ツールを用いて答えを１つ々々覆い隠す必要があったため、利便性及び携帯性の面で理想的ではなかった。
【０００４】
そのため、重要な部分に印が付けられた文章を撮影してから、その画像ファイルを処理した後、重要な部分に印が付けられた試験問題ファイルを生成することにより、生成した試験問題ファイルを応用することができる技術が求められていた。
【発明の概要】
【発明が解決しようとする課題】
【０００５】
本発明の目的は、重要な部分に印が付けられた画像ファイルから試験問題ファイルを生成する、試験問題生成システム及びその方法を提供することにある。
【課題を解決するための手段】
【０００６】
上記課題を解決するために、本発明の第１の形態によれば、ディスプレイ及び操作手段を有する電子機器内に設けられて試験問題を生成するとともに、試験問題生成モジュール及び試験問題記憶モジュールを備えた試験問題生成システムであって、前記試験問題生成モジュールは、前記電子機器の前記ディスプレイ上に表示されるとともに、ラベリング領域検出・ロックユニット及び試験問題編集ユニットを含み、前記ラベリング領域検出・ロックユニットは、少なくとも１つの画像ファイルを受け取り、前記画像ファイルは、複数の文字コンテンツを含み、前記文字コンテンツは、少なくとも１つのラベリング領域を含み、前記ラベリング領域検出・ロックユニットは、少なくとも１つのラベリング領域を有する画像ファイル上にあり、前記ラベリング領域の位置を自動的に検出するとともに、前記ラベリング領域の位置をロックし、前記電子機器の前記ディスプレイ上に表示し、前記試験問題編集ユニットは、前記ラベリング領域検出・ロックユニットと接続され、編集したい前記ロックされたラベリング領域の位置の何れか１つを選択し、前記ロックされたラベリング領域の位置の前後位置において、所望の文字コンテンツを四角で囲み、前記ラベリング領域の位置上を覆い隠す処理を行い、前記試験問題記憶モジュールは、前記ラベリング領域検出・ロックユニット及び前記試験問題編集ユニットと接続され、前記ラベリング領域検出・ロックユニットが受け取った前記画像ファイルを記憶し、前記試験問題編集ユニットが覆い隠す処理を行い、前記画像ファイルから新たな試験問題ファイルを生成し、前記試験問題記憶モジュールは、複数組の応用可能な試験問題ファイルを記憶することを特徴とする試験問題生成システムが提供される。
【０００７】
前記試験問題生成モジュールは、前記ラベリング領域検出・ロックユニット及び前記試験問題編集ユニットと接続されたラベリング領域選択ユニットを含み、前記ラベリング領域選択ユニットは、前記電子機器の前記ディスプレイ上に表示された前記画像ファイル上で、前記ロックされた複数のラベリング領域の位置を選択し、前記ロックされた複数のラベリング領域の位置を１つのグループに定義し、前記ロックされた複数のラベリング領域の位置を選択し、前記試験問題編集ユニットにより前記ロックされたラベリング領域の位置の前後位置で、所望の文字コンテンツを四角で囲み、前記ラベリング領域の位置上で覆い隠す処理を行うことが好ましい。
【０００８】
前記試験問題生成モジュールは、前記試験問題編集ユニットと接続されるとともに、  前記電子機器の前記ディスプレイ上に表示された前記画像ファイル上で、選択された１つ又は複数の前記ラベリング領域の位置を削除するラベリング領域削除ユニットを含むことが好ましい。
【０００９】
前記試験問題生成モジュールは、前記試験問題編集ユニットと接続されるとともに、提示する文字コンテンツを生成する試験問題ファイル提示生成ユニットを含むことが好ましい。
【００１０】
前記電子機器を前記試験問題ファイルへ応用する際、利用者が前記電子機器の前記ディスプレイに触れると、前記ラベリング領域の位置を覆い隠す状態が覆い隠されない状態に戻ることが好ましい。
【００１１】
上記課題を解決するために、本発明の第２の形態によれば、ディスプレイ及び操作手段を有する電子機器は、１つ又は複数のラベリング領域の画像ファイルを少なくとも１つ受け取り、前記ラベリング領域の位置をロックした後、前記電子機器の前記ディスプレイ上に前記画像ファイルを表示するステップと、前記ロックされたラベリング領域の位置の前後位置において所望の文字コンテンツを四角で囲むとともに、前記ラベリング領域の位置上で覆い隠す処理を行い、覆い隠された前記画像ファイルを試験問題ファイルとして記憶するステップと、利用者は、前記記憶された試験問題ファイル全てを、前記ディスプレイ及び前記操作手段を有する前記電子機器上で利用するステップと、を含むことを特徴とする試験問題生成方法が提供される。
【００１２】
前記電子機器は、前記画像ファイル上で前記ラベリング領域の位置を自動的に検出し、前記ラベリング領域の位置をロックすることが好ましい。
【００１３】
利用者は、前記表示された画像ファイル上で１つ又は複数のロックされた前記ラベリング領域の位置を選択し、前記選択された複数のロックされたラベリング領域の位置を１グループに定義することが好ましい。
【００１４】
利用者は、前記表示された画像ファイル上から１つ又は複数の選択された前記ラベリング領域の位置を削除することが好ましい。
【００１５】
前記電子機器を前記試験問題ファイルへ応用する際、利用者が前記電子機器の前記ディスプレイに触れると、前記ラベリング領域の位置を覆い隠す状態が覆い隠されない状態に戻ることが好ましい。
【図面の簡単な説明】
【００１６】
【図１Ａ】本発明の一実施形態に係る試験問題生成システム及びその方法の構成全体を示すブロック図である。
【図１Ｂ】本発明の一実施形態に係る試験問題生成システム及びその方法の内部構成を示すブロック図である。
【図１Ｃ】本発明の一実施形態に係る試験問題生成システム及びその方法の試験問題記憶モジュールの内部構成を示すブロック図である。
【図１Ｄ】本発明の一実施形態に係る試験問題生成システム及びその方法の試験問題生成モジュールの内部構成を示すブロック図である。
【図１Ｅ】本発明の一実施形態に係る試験問題生成システム及びその方法の試験問題リーディングモジュールの内部構成を示すブロック図である。
【図１Ｆ】本発明の一実施形態に係る試験問題生成システム及びその方法の試験問題復習モジュールの内部構成を示すブロック図である。
【図１Ｇ】本発明の一実施形態に係る試験問題生成システム及びその方法の試験問題テストモジュールの内部構成を示すブロック図である。
【図２Ａ】本発明の一実施形態に係る試験問題生成システム及びその方法が新しい試験問題を生成するときの状態を示す使用概念図である。
【図２Ｂ】本発明の一実施形態に係る試験問題生成システム及びその方法が新しい試験問題を生成するときの状態を示す使用概念図である。
【図２Ｃ】本発明の一実施形態に係る試験問題生成システム及びその方法が新しい試験問題を生成するときの状態を示す使用概念図である。
【図２Ｄ】本発明の一実施形態に係る試験問題生成システム及びその方法が新しい試験問題を生成するときの状態を示す使用概念図である。
【図２Ｅ】本発明の一実施形態に係る試験問題生成システム及びその方法が新しい試験問題を生成するときの状態を示す使用概念図である。
【図２Ｆ】本発明の一実施形態に係る試験問題生成システム及びその方法が新しい試験問題を生成するときの状態を示す使用概念図である。
【図３Ａ】本発明の一実施形態に係る試験問題生成システム及びその方法が新しい試験問題を生成するときの状態を示すブロック図である。
【図３Ｂ】本発明の一実施形態に係る試験問題生成システム及びその方法が新しい試験問題を生成するときの状態を示すブロック図である。
【図３Ｃ】本発明の一実施形態に係る試験問題生成システム及びその方法が新しい試験問題を生成するときの状態を示すブロック図である。
【図３Ｄ】本発明の一実施形態に係る試験問題生成システム及びその方法が新しい試験問題を生成するときの状態を示すブロック図である。
【図４Ａ】本発明の一実施形態に係る試験問題生成システム及びその方法のリーディングを行うときの状態を示す使用概念図である。
【図４Ｂ】本発明の一実施形態に係る試験問題生成システム及びその方法のリーディングを行うときの状態を示す使用概念図である。
【図４Ｃ】本発明の一実施形態に係る試験問題生成システム及びその方法のリーディングを行うときの状態を示す使用概念図である。
【図５Ａ】本発明の一実施形態に係る試験問題生成システム及びその方法の復習を行うときの状態を示す使用概念図である。
【図５Ｂ】本発明の一実施形態に係る試験問題生成システム及びその方法の復習を行うときの状態を示す使用概念図である。
【図５Ｃ】本発明の一実施形態に係る試験問題生成システム及びその方法の復習を行うときの状態を示す使用概念図である。
【図５Ｄ】本発明の一実施形態に係る試験問題生成システム及びその方法の復習を行うときの状態を示す使用概念図である。
【図６Ａ】本発明の一実施形態に係る試験問題生成システム及びその方法によりテストを行うときの状態を示す使用概念図である。
【図６Ｂ】本発明の一実施形態に係る試験問題生成システム及びその方法によりテストを行うときの状態を示す使用概念図である。
【図６Ｃ】本発明の一実施形態に係る試験問題生成システム及びその方法によりテストを行うときの状態を示す使用概念図である。
【発明を実施するための形態】
【００１７】
以下、本発明の実施形態について図に基づいて説明する。なお、これによって本発明が限定されるものではない。
【００１８】
図１Ａ及び図１Ｂを参照する。図１Ａは、本発明の一実施形態に係る試験問題生成システム及びその方法の構成全体を示すブロック図である。図１Ｂは、本発明の一実施形態に係る試験問題生成システム及びその方法の内部構成を示すブロック図である。
図１Ａ及び図１Ｂに示すように、試験問題生成システム１３は、ディスプレイ１１及び操作手段１２を有する電子機器１内に設けられ、利用者は試験問題の生成、復習及び試験を行う。試験問題生成システム１３は、試験問題生成モジュール１３１、試験問題記憶モジュール１３２、試験問題リーディングモジュール１３３、試験問題復習モジュール１３４、試験問題テストモジュール１３５及び自動検査モジュール１３６を含む。
【００１９】
図１Ｃを参照する。図１Ｃに示すように、試験問題記憶モジュール１３２中には、試験問題注記ユニット１３２１が含まれる。試験問題注記ユニット１３２１は、試験問題ファイルに対し、試験、復習、試験及び復習、試験問題の復習で再出題される時間間隔、試験問題に再出題される時間間隔、今回の記憶点数及び累計の記憶点数を注記するために用いられる。
【００２０】
図１Ｄを参照する。図１Ｄに示すように、試験問題生成モジュール１３１は、ラベリング領域検出・ロックユニット１３１１、試験問題編集ユニット１３１２、ラベリング領域選択ユニット１３１３、ラベリング領域削除ユニット１３１４及び試験問題ファイル提示生成ユニット１３１５を含む。ラベリング領域検出・ロックユニット１３１１は、少なくとも１つの画像ファイルを受信する。画像ファイルは、携帯電話のカメラレンズにより撮影されるか、その他撮像装置により撮影された後、ラベリング領域検出・ロックユニット１３１１に再び入力される。
【００２１】
画像ファイルには、複数の文字コンテンツが含まれる。この文字コンテンツは、文字、数字及びにこれらの組み合わせからなるものうちの何れか１つである。複数の文字コンテンツは、ラベリング領域を含む。ラベリング領域とは、色を有する実線、点線、鎖線又は波線で表された領域であり、かつ、ラベリング領域は、カラーペンで光透過性の色を塗布してラベリングしたり、光透過性の色を有するシールを接着して覆ったりするが、本発明はこれだけに限定されず、文字コンテンツ上にラベリングできるものは全て特許請求の範囲に含まれる。そのため、ラベリング領域検出・ロックユニット１３１１は、ラベリング領域をロックした後、試験問題編集ユニット１３１２を介してロックされたラベリング領域の位置の前後位置で、所望の文字コンテンツを四角で囲み、ラベリング領域が覆い隠されて処理される。また、ラベリング領域の表示が不明確である場合（例えば、画像の光反射又は色差により像が不明確となる場合）、ラベリング領域検出・ロックユニット１３１１は、ラベリング領域を検出してロックすることができず、利用者はロックされていないラベリング領域を直接選択することができる。
ラベリング領域検出・ロックユニット１３１１は、利用者の手の動きにより選択されたコマンドを受け取ると、ロックを開始し、試験問題編集ユニット１３１２は、手の動きにより選択されたラベリング領域を覆い隠す。
【００２２】
ラベリング領域選択ユニット１３１３により、利用者はロックされたラベリング領域の位置を複数選択し、ラベリング領域削除ユニット１３１４は、選択された１つ又は複数のラベリング領域の位置を削除し、試験問題生成モジュール試験問題ファイル提示生成ユニット１３１５は、試験問題ファイルに対して提示する文字コンテンツを生成するために用いる。
【００２３】
図１Ｅを参照する。図１Ｅに示すように、試験問題リーディングモジュール１３３は、試験問題リーディングユニット１３３１、試験問題ファイル組合せユニット１３３２及び試験問題ファイル検査ユニット１３３３を含む。
試験問題リーディングユニット１３３１は、試験問題記憶モジュール１３２内に記憶した全ての試験問題ファイルを表示し、利用者は全ての試験問題ファイルを読むことができる。試験問題ファイル組合せユニット１３３２は、複数の試験問題ファイルを組み合わせるか否かを利用者に尋ね、複数の試験問題ファイルの組み合わせを行う。また、試験問題ファイル検査ユニット１３３３は、利用者に試験問題ファイルを復習に加えるか否かを尋ね、利用者が試験問題ファイルを復習へ加えることを選択すると、試験問題ファイル検査ユニット１３３３は、試験問題注記ユニット１３２１へ知らせ、試験問題ファイル上に注記し、復習の際に用いる。
【００２４】
図１Ｆを参照する。図１Ｆに示すように、試験問題復習モジュール１３４は、試験問題抽選ユニット１３４１、試験問題復習作動ユニット１３４２、試験問題答案表示ユニット１３４３、試験問題ファイル修正ユニット１３４４及び試験問題ファイル検査ユニット１３４５を含む。
試験問題抽選ユニット１３４１は、試験問題記憶モジュールから複数の試験問題ファイルをランダムに選び出す。試験問題復習作動ユニット１３４２は、複数の試験問題ファイルをランダムに選び出して復習作業を行い、復習作業を行う際、少なくとも１つの押ボタンが表示され、利用者は押ボタンを操作し、復習の際に回答した正答率を記録する。また、試験問題答案表示ユニット１３４３は、復習を行う際、ラベリング領域の位置が利用者により触られているか否かを検出し（もしディスプレイがタッチパネルである場合、利用者がラベリング領域の位置のタッチパネルに触れているか否かを判断し、ディスプレイがタッチパネルでない場合、利用者が操作手段によりラベリング領域の位置を選択したか否かを判断する）、もし選択したと判断すると、ラベリング領域の位置を覆い隠す処理は、覆い隠す前の状態に戻る。
【００２５】
試験問題ファイル修正ユニット１３４４は、利用者が何れか１つの試験問題ファイルを正確に答えると、試験問題ファイルが今回の試験問題の復習から移動され、試験問題ファイルが次回の試験問題の復習を行う際に現れる時間を延ばすことができる。試験問題ファイル検査ユニット１３４５を用い、選び出された試験問題ファイルがテストに用いられたか否かを調べ、試験問題ファイルがテストに用いられていない場合、試験問題ファイルを加えてテストするか否かを利用者に尋ね、利用者が試験問題ファイルを加えてテストすることを選択すると、試験問題ファイル検査ユニット１３４５は、試験問題注記ユニット１３２１に知らせ、試験問題ファイル上にテストに用いることが可能なことを注記する。
【００２６】
図１Ｇを参照する。図１Ｇに示すように、試験問題テストモジュール１３５は、試験問題抽選ユニット１３５１、試験問題テスト作動ユニット１３５２、試験問題答案表示ユニット１３５３及び試験問題テスト統計ユニット１３５４を含む。
試験問題抽選ユニット１３５１は、試験問題記憶モジュールから複数の試験問題ファイルをランダムに選び出し、試験問題復習作動ユニット１３４２は、複数の試験問題ファイルを選び出してテスト作業を行う。テスト作業を行う際に少なくとも１つの押ボタンが表示され、利用者は押ボタンを操作することにより、テストの正答率を記録する。試験問題テスト統計ユニット１３５４は、利用者が毎回試験を行うときに正確に回答したか否かを記録し、テストの試験問題ファイルの今回の記憶点数と、累計の記憶点数との統計を取るとともに、試験問題注記ユニット１３２１へ知らせ、試験問題ファイル上に今回の記憶点数と累計の記憶点数とを注記する。
【００２７】
本実施形態の自動検査モジュール１３６は、テストに用いる試験問題ファイル、復習の試験問題ファイル、テスト及び復習の試験問題ファイルとして用いて次回行う試験問題の復習と試験問題のテストを行う際に再び出題される時間間隔を設定し、時間に達すると、試験問題の復習及び試験問題のテストを行う際に再び出題される。
【００２８】
本発明の実施形態を以下説明する。まず、図２Ａ〜図２Ｆを参照されたい。
図２Ａ〜図２Ｆに示すように、利用者が試験問題生成システム１３中に入ると、電子機器１のディスプレイ１１上にリストが表示され、利用者２が「撮像」を選択すると、電子機器１上に設けられたキャプチャレンズにより、図２Ｃに示すように、蛍光ラベリングされたオブジェクト３を撮影し、キャプチャした画像により、試験問題生成システム１３は、蛍光を有するラベリング領域の位置を自動的に検出し、電子機器１のディスプレイ１１上に表示する。その後、図２Ｄに示すように、利用者２が何れか１つの蛍光のラベリング領域を選択すると、「漢」の字が選択され、図２Ｅに示すように、蛍光を有するラベリング領域の位置の前後位置で、所望の文字コンテンツを四角で囲んで選択し（本実施形態では、「項羽敗亡，劉邦稱帝，國號漢，是為漢高祖。」が選択されている）、ラベリング領域の位置上に対して覆い隠す処理を行う。最終的に、図２Ｆに示すように、利用者２が「単純に練習カードを生成する」を選択すると、「項羽敗亡，劉邦稱帝，國號漢，是為漢高祖。」が新しい試験問題ファイルとして生成される。
【００２９】
図３Ａ〜図３Ｄを参照する。図３Ａ〜図３Ｄに示すように、ラベリング領域の位置を選択する際、複数のラベリング領域を同時に選択し、図３Ａに示すように、蛍光を有するラベリング領域の位置を検出すると、利用者２は、まず、「複数選択」を選択した後、蛍光を有するラベリング領域を複数選択する。図３Ｂに示すように、利用者が「漢」、「西漢」、「洛陽」、「長安」全てを選択してから「組み合わせる」を選択すると、図３Ｃに示すように、４つの蛍光を有するラベリング領域の位置の前後位置が同時に表示され、所望の文字コンテンツを四角で囲む。本実施形態の例では、「項羽敗亡，劉邦稱帝，國號漢，是為漢高祖。西漢是我國歴史上第一個由平民起而革命創建的朝代。其重要措施如下：一、定都長安：高祖即位後，初都洛陽，後遷長安。」の内容を四角で囲んだ後に「確定」ボタンにタッチする。
その後、図３Ｄに示すように、利用者２は、「単純に練習カードを生成する」を選択すると「項羽敗亡，劉邦稱帝，國號漢，是為漢高祖。西漢是我國歴史上第一個由平民起而革命創建的朝代。其重要措施如下：一、定都長安：高祖即位後，初都洛陽，後遷長安。」が新しい試験問題ファイルに生成される。しかし、利用者２が「テストを直接練習する」を選択する場合、試験問題生成システム１３は、試験問題注記ユニット１３２１により新たに生成した試験問題ファイル上にテストに用いることが可能な注記が付けられる。
【００３０】
図４Ａ〜図４Ｃを参照する。図４Ａ〜図４Ｃに示すように、利用者２が全ての試験問題ファイルを読む操作を行う際、図４Ａ及び図４Ｂに示すように、利用者２が「リーディング」を選択すると、全ての試験問題ファイルが縮小されて電子機器１のディスプレイ１１上に表示され、利用者が下方の「リスト」を選択すると、図４Ｃに示すように、試験問題ファイル全てがリストとなって表示される。各試験問題ファイルには、文字コンテンツ、累積記憶点数、直近の記憶点数及び日付が付記され、利用者２は一目で試験問題ファイルの状態を理解することができる。
【００３１】
図５Ａ〜図５Ｄを参照する。利用者２が復習の操作を行う場合、図５Ａ及び図５Ｂに示すように、利用者が「復習」を選択し、試験問題生成システム１３が復習の試験問題ファイルのコンテンツを次々と表示する。図５Ａ及び図５Ｂに示すように、試験問題ファイルのコンテンツの一部が覆い隠され、利用者２が覆い隠された部分を回答した後、ラベリング領域を選択すると、図５Ｃに示すように、ラベリング領域上の覆いが消去され、利用者２は答案を見ることができるが、示された試験問題ファイルは、回答の正答率に用いられるとは限らないため、利用者２は「記憶」を選択してテストを行い、図５Ｄに示すように、ディスプレイ１１上に表示されたスライダー１１１（答えが正解の場合、右方向へスライドさせ、不正解の場合、左方向へスライドさせる）を操作する。図５Ａ及び図５Ｂに示すように、利用者２が正答し、スライダーを右方向へスライドさせると、今回の正答率が記憶され、試験問題ファイルの記憶曲線の統計に用いられる。
【００３２】
図６Ａ〜図６Ｃを参照する。図６Ａ〜図６Ｃに示すように、利用者２がテストの操作を行う際、図６Ａ及び図６Ｂに示すように、利用者が「テスト」を選択すると、試験問題生成システム１３は、テストの試験問題ファイルのコンテンツを次々と表示する。
図６Ａ及び図６Ｂに示すように、試験問題ファイルのコンテンツ中の一部が覆い隠され、覆い隠された問題に回答する際、ラベリング領域の位置を選択することができる。図６Ｃに示すように、ラベリング領域の位置上の遮蔽物が消去されると、利用者２は正解を見ることができ、テストを行う際、試験問題ファイルコンテンツの下方にはカウントダウン部１１２が設けられている。カウントダウン部１１２は、各試験問題ファイルが始まると、カウントダウンを開始し、利用者２がラベリング領域の位置を選択すると、カウントダウンが止まる。
利用者２が選択したラベリング領域の位置はすでに回答したことを表しているため、回答にかかった時間を記録することができ、また、利用者２は、ディスプレイ１１上に表示されたスライダー１１１をスライドし（右方向へのスライドは正解を表し、左方向へのスライドは不正解を表す）、正解・不正解を記録する。図６Ａ及び図６Ｂに示すように、利用者２はすでに正答しているため、利用者２はスライドを右方向へスライドさせ、今回のテストの正答率を記憶し、試験を行うときの正答率の統計（即ち、今回の記憶点数）をとり、多数の解答正答率の統計を取った後、累計の記憶点数を生成させることができる。
【００３３】
上述したことから分かるように、本発明の試験問題生成方法は、図７に示すように、以下のステップ（１）〜（３）を含む。
（１）ディスプレイ及び操作手段を有し、１つ又は複数のラベリング領域を有する少なくとも１つの画像ファイルを受信し、ラベリング領域の位置をロックした後、電子機器のディスプレイ上に画像ファイルを表示する（ステップ７０１）。
（２）ロックされたラベリング領域の位置の前後位置において、所望の文字コンテンツを四角で囲み、ラベリング領域の位置を覆い隠して処理し、覆い隠して処理した画像ファイルを試験問題ファイルとして記憶する（ステップ７０２）。
（３）利用者は、ディスプレイ及び操作手段を有する電子機器で記憶された全ての試験問題ファイルを読むことができ、電子機器は、複数の試験問題ファイルをランダムに選び出し、利用者は、電子機器上で復習又はテストを行うことができる（ステップ７０３）。
【００３４】
本発明の試験問題生成システム及びその方法は、従来技術と比べ、重要な部分に印を付けた文章を撮影した後、画像ファイルを処理し、重要な部分がラベリングされた試験問題ファイルを生成し、これにより生成した試験問題ファイルの読み、復習、テストなどを行うことができる長所を有する。
【００３５】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３６】
１        電子機器
２        利用者
３        オブジェクト
１１      ディスプレイ    
１２      操作手段
１３      試験問題生成システム
１１１    スライダー
１１２    カウントダウン部
１３１    試験問題生成モジュール
１３２    試験問題記憶モジュール
１３３    試験問題リーディングモジュール
１３４    試験問題復習モジュール
１３５    試験問題テストモジュール
１３６    自動検査モジュール
１３１１  ラベリング領域検出・ロックユニット
１３１２  試験問題編集ユニット
１３１３  ラベリング領域選択ユニット
１３１４  ラベリング領域削除ユニット
１３１５  試験問題ファイル提示生成ユニット
１３２１  試験問題注記ユニット
１３３１  試験問題リーディングユニット
１３３２  試験問題ファイル組合せユニット
１３３３  試験問題ファイル検査ユニット
１３４１  試験問題抽選ユニット
１３４２  試験問題復習作動ユニット
１３４３  試験問題答案表示ユニット
１３４４  試験問題ファイル修正ユニット
１３４５  試験問題ファイル検査ユニット
１３５１  試験問題抽選ユニット
１３５２  試験問題テスト作動ユニット
１３５３  試験問題答案表示ユニット
１３５４  試験問題テスト統計ユニット
【図１Ａ】
2016038903.tif 000003
【図１Ｂ】
2016038903.tif 000004
【図１Ｃ】
2016038903.tif 000005
【図１Ｄ】
2016038903.tif 000006
【図１Ｅ】
2016038903.tif 000007
【図１Ｆ】
2016038903.tif 000008
【図１Ｇ】
2016038903.tif 000009
【図２Ａ】
2016038903.tif 000010
【図２Ｂ】
2016038903.tif 000011
【図２Ｃ】
2016038903.tif 000012
【図２Ｄ】
2016038903.tif 000013
【図２Ｅ】
2016038903.tif 000014
【図２Ｆ】
2016038903.tif 000015
【図３Ａ】
2016038903.tif 000016
【図３Ｂ】
2016038903.tif 000017
【図３Ｃ】
2016038903.tif 000018
【図３Ｄ】
2016038903.tif 000019
【図４Ａ】
2016038903.tif 000020
【図４Ｂ】
2016038903.tif 000021
【図４Ｃ】
2016038903.tif 000022
【図５Ａ】
2016038903.tif 000023
【図５Ｂ】
2016038903.tif 000024
【図５Ｃ】
2016038903.tif 000025
【図５Ｄ】
2016038903.tif 000026
【図６Ａ】
2016038903.tif 000027
【図６Ｂ】
2016038903.tif 000028
【図６Ｃ】
2016038903.tif 000029